(57)【特許請求の範囲】
【請求項１】
引戸に設けられたハンドルの操作者による該引戸の開閉移動方向の前方への押し込み、後方への引き込み操作に連動して、戸当たりに係止して施錠するための引戸錠の鎌部が前記引戸の戸先よりも内側に自動的に退避するように構成されており、
前記引戸を閉じることにより区画される内側領域と外側領域の両側にそれぞれ配設され、一方が前方に移動すると他方が後方に移動し、一方が後方に移動すると他方が前方に移動するように連動する一対のハンドルと、
前記ハンドルの押し引き操作に連動する引戸錠と、を備えており、
前記引戸錠は、前後に進退自在に支持された連絡部材と、リンク部材を介して前記連絡部材に繋げられ、前記連絡部材の前後一方向への移動に応じて前記戸先から外側に突出し、前記連絡部材の他方向への移動に応じて前記戸先よりも内側に退避する前記鎌部と、前記ハンドルの押し引き操作に前記連絡部材を連動させるハンドルリンク機構部と、を備え、
前記ハンドルリンク機構部は、回動軸と、前記回動軸に取り付けられ、前方に移動した前記ハンドルに押圧されて前記回動軸を軸線周りの一方向に回転させるための回転部材と、前記回動軸に取り付けられ、前記回動軸の一方向の回転とともに前記連絡部材を前記他方向に押圧して移動させるための押圧部材とを備えて構成されていることを特徴とする引戸用開閉装置。
【請求項２】
請求項１記載の引戸用開閉装置において、
前記引戸を開閉動するための引戸走行用ローラーを制動する制動装置を備えるとともに、
前記ハンドルの押し引き操作に連動して前記制動装置による前記引戸走行用ローラーの制動状態が解除されるように構成されている引戸用開閉装置。
【発明の詳細な説明】
【技術分野】
【０００１】
本発明は、引戸用開閉装置に関する。
【背景技術】
【０００２】
従来、引戸門扉などの引戸には、戸先側に設けられた引戸開閉用のレバーハンドル（ハンドル）を操作者が押し引きするとブレーキが解除され、回動自在に制動された引戸走行用ローラーによって開閉動するように構成したものがある（例えば、特許文献１参照）。
【０００３】
また、この種の引戸には、戸先側に、引戸を閉状態にすると戸当たりに係止され、引戸を閉状態で保持する引戸錠が設けられている。このような引戸錠としては、戸先から突出したトリガーが戸当たりに当たると戸先から内側に退避し、これに連動してデッドボルトが回動し、デッドボルトの先端に設けられた鉤形状の鎌部が戸先から前方に突出し、戸当たりのストライク（掛止部材）に入り込んで係止され、引戸を閉状態で保持できるように構成したものがある（例えば、特許文献２、特許文献３、特許文献４、特許文献５参照）。
【０００４】
さらに、一般に、この種の引戸は、デッドボルトを手動で回動するための施錠用レバーを備え、引戸を開く際に施錠用レバーを操作して鎌部を退避させ、ストライク（掛止部材）との係止状態を解除しつつレバーハンドルを引き込むことによって、引戸を開動させることができるように構成されている。
【先行技術文献】
【特許文献】
【０００５】
【特許文献１】特開２００６−２００１４２号公報
【特許文献２】特開２０１２−２１９４６７号公報
【特許文献３】特開２００９−９１７２３号公報
【特許文献４】特開２００６−１５２７７６号公報
【特許文献５】特開２０１０−２４８７５０号公報
【発明の概要】
【発明が解決しようとする課題】
【０００６】
しかしながら、上記従来の引戸錠（及び引戸）においては、図１３に示すように、引戸Ａを開く際に、施錠用レバー１を開操作して鎌部を退避させながらレバーハンドル２を引き込むというツーアクション（２段階操作）が必要になり、手間がかかる。
なお、鎌部がストライクに入り込んで係止された状態でデッドボルトを固定保持し、引戸Ａを閉じた状態で施錠固定するシリンダー錠などの錠（施錠固定部３）を備えた場合には、この錠３を開錠し、施錠用レバー１を開操作しながらレバーハンドル２を引き込むことになるため、スリーアクション（３段階操作）が必要になる。
【０００７】
さらに、引戸Ａが開いた状態で施錠用レバー１を操作すると鎌部が突出してしまう。このため、このように鎌部が突出したままの状態で引戸Ａを閉動させてしまい、戸当たり４に鎌部が衝突して錠や戸当たりが破損するおそれがある。
【０００８】
本発明は、上記事情に鑑み、操作性に優れ、且つ引戸の開閉動作時に鎌部が突出することを確実に防止できる引戸用開閉装置を提供することを目的とする。
【課題を解決するための手段】
【０００９】
上記の目的を達するために、この発明は以下の手段を提供している。
【００１０】
本発明の引戸用開閉装置は、引戸に設けられたハンドルの操作者による該引戸の開閉移動方向の前方への押し込み、後方への引き込み操作に連動して、戸当たりに係止して施錠するための引戸錠の鎌部が前記引戸の戸先よりも内側に自動的に退避するように構成されており、前記引戸を閉じることにより区画される内側領域と外側領域の両側にそれぞれ配設され、一方が前方に移動すると他方が後方に移動し、一方が後方に移動すると他方が前方に移動するように連動する一対のハンドルと、前記ハンドルの押し引き操作に連動する引戸錠と、を備えており、前記引戸錠は、前後に進退自在に支持された連絡部材と、リンク部材を介して前記連絡部材に繋げられ、前記連絡部材の前後一方向への移動に応じて前記戸先から外側に突出し、前記連絡部材の他方向への移動に応じて前記戸先よりも内側に退避する前記鎌部と、前記ハンドルの押し引き操作に前記連絡部材を連動させるハンドルリンク機構部と、を備え、前記ハンドルリンク機構部は、回動軸と、前記回動軸に取り付けられ、前方に移動した前記ハンドルに押圧されて前記回動軸を軸線周りの一方向に回転させるための回転部材と、前記回動軸に取り付けられ、前記回動軸の一方向の回転とともに前記連絡部材を前記他方向に押圧して移動させるための押圧部材とを備えて構成されていることを特徴とする。
【００１２】
さらに、本発明の引戸用開閉装置においては、前記引戸を開閉動するための引戸走行用ローラーを制動する制動装置を備えるとともに、前記ハンドルの押し引き操作に連動して前記制動装置による前記引戸走行用ローラーの制動状態が解除されるように構成されていることがより望ましい。
【発明の効果】
【００１３】
本発明の引戸用開閉装置においては、引戸を開く際に、従来のように施錠用レバーを開操作しながらレバーハンドルを押し引きする必要がなく、レバーハンドルを押し引きするだけで自動的に鎌部を収容して開閉動することができる。
【００１４】
よって、本発明の引戸用開閉装置によれば、従来と比較し、操作性を大幅に向上させることができる。
【００１５】
また、レバーハンドルの押し引き操作を行うとともに自動的に鎌部が錠ケース内に収容されるため、従来のように鎌部が突出したままになることがない。これにより、引戸を閉める際に戸当たりに鎌部が衝突して錠や戸当たりに破損が生じることを確実に解消することが可能になる。
【図面の簡単な説明】
【００１６】
【図１】本発明の一実施形態に係る引戸を示す正面図である。
【図２】図１のＸ１−Ｘ１線矢視図であり、本発明の一実施形態に係る引戸を示す側面図である。
【図３】本発明の一実施形態に係る引戸用開閉装置を示す図である。
【図４】本発明の一実施形態に係る引戸錠を示す図であり、鎌部を錠ケース内から突出させた状態を示す図である。
【図５】本発明の一実施形態に係る引戸錠を示す図であり、鎌部を引き込んで錠ケース内に収容した状態を示す図である。
【図６】図４のＸ１−Ｘ１線矢視図である。
【図７】本発明の一実施形態に係る引戸用開閉装置を示す分解斜視図である。
【図８】本発明の一実施形態に係る引戸用開閉装置を示す図である。
【図９】本発明の一実施形態に係る引戸の制動装置を示す図である。
【図１０】本発明の一実施形態に係る引戸の制動装置を示す図である。
【図１１】本発明の一実施形態に係る引戸、レバーハンドルを開操作した際の引戸用開閉装置、引戸錠の状態を示す図である。
【図１２】本発明の一実施形態に係る引戸、レバーハンドルを閉操作した際の引戸用開閉装置、引戸錠の状態を示す図である。
【図１３】従来の引戸を示す斜視図である。
【発明を実施するための形態】
【００１７】
以下、図１から図１２を参照し、本発明の一実施形態に係る引戸用開閉装置について説明する。ここで、本実施形態は、例えば門扉として敷地境界に設けられる引戸門扉（引戸）用の錠前、レバーハンドル、制動装置などからなる引戸用開閉装置に関するものである。
【００１８】
はじめに、本実施形態の引戸Ｂは、図１から図３に示すように、下端に複数の引戸走行用ローラー６を備えた引戸本体７と、引戸本体７の戸先７ａ側に設けられ、操作者が押し引きして引戸本体７を開閉動させるためのレバーハンドル（ハンドル、把手）２と、引戸本体７の戸先７ａ側に設けられ、戸当たり４のストライク（掛止部材）に係止させて施錠するための引戸錠８と、引戸走行用ローラー６を制御する制動装置９とを備えている。
【００１９】
また、本実施形態の引戸Ｂには、引戸本体７の戸先７ａ側に、操作者が引戸Ｂの開閉移動方向（スライド移動方向）に押し引きして引戸本体７を開閉動させるためのレバーハンドル２が取り付けられている。さらに、引戸本体７の戸先７ａを形成する支柱１０の両側面、すなわち、引戸Ｂを閉じることで区画される内側領域Ｒ１を向く支柱１０の一側面側と、外側領域Ｒ２を向く他側面側とにそれぞれ、レバーハンドル２（一対のレバーハンドル２ａ、２ｂ）が設けられており、内側領域Ｒ１、外側領域Ｒ２の両側から、各レバーハンドル２（２ａ、２ｂ）を操作することで引戸Ｂを開閉できるように構成されている。
【００２０】
そして、本実施形態では、レバーハンドル２と引戸錠８と制動装置９を備えて引戸用開閉装置Ｃが構成され、レバーハンドル２の押し引き操作（引戸Ｂの開閉操作）に引戸錠８が連動するように構成されている。
【００２１】
且つ、本実施形態の引戸Ｂにおいては、制動装置９も、レバーハンドル２の押し引き操作（引戸Ｂの開閉操作）に連動して制動状態が解除されるように構成されている。すなわち、レバーハンドル２を開閉操作すると、これに連動して制動装置９による制動状態（引戸走行用ローラー６にブレーキをかけた状態）が解除され、引戸Ｂを開閉動できるように構成されている。
【００２２】
具体的に、まず、本実施形態の引戸錠８は、図４から図６（及び図１から図３）に示すように、引戸Ｂの引戸本体７の戸先７ａに取り付けられた戸先板１１と、開口する一側面を戸先板１１に向けて戸先７ａを形成する支柱１０内に埋設された錠ケース１２とを備えるとともに、戸当たり４に係止させて引戸Ｂを施錠するための施錠機構部１３と、トリガー機構部１４と、トリガーリンク機構部１５と、ハンドルリンク機構部１６と、引戸Ｂを施錠して閉状態で保持するための施錠固定部１７とを備えて構成されている。
【００２３】
施錠機構部１３は、錠ケース１２に回動可能に支持されたデッドボルト１８と、デッドボルト１８の先端に配設されるとともに、戸先板１１に貫通形成された鎌用開口１１ａからデッドボルト１８の回動によって戸先板１１の外側、内側の前後方向に出没／進退可能に設けられた鉤形状の鎌部１９とを備えている。また、デッドボルト１８は、ピン１８ａを一体に備え、このピン１８ａを錠ケース１２に貫通形成されたピン孔１２ａに係合させることにより、ピン孔１２ａに沿って回動可能に支持されている。
【００２４】
トリガー機構部１４は、戸先板１１に貫通形成されたトリガー用開口１１ｂを通じて戸先板１１の外側、内側の前後方向に進退可能に支持された略棒状のトリガー軸２０と、トリガー軸２０を前後方向に進退自在に支持するトリガー補助部材２１とを備えている。
【００２５】
トリガー補助部材２１は、錠ケース１２に前後方向に進退自在に支持されている。
【００２６】
トリガー軸２０は、トリガー補助部材２１に一体に固定され、トリガー補助部材２１とともに前後方向に進退自在に支持されている。また、トリガー軸２０は、トリガー用開口１１ｂを通じて戸先板１１を挟んで外側、内側に出没する先端側にローラー受け２２とこのローラー受け２２に回転自在に支持されたローラー２３とが一体に設けられている。さらに、トリガー軸２０には、例えばつる巻きバネの内部にトリガー軸２０を挿通することにより、その外周に軸方向に弾性変形（伸縮）するバネ（弾性部材）２４が取り付けられている。また、このバネ２４はトリガー補助部材２１に両端側を支持させて配設されている。
【００２７】
トリガーリンク機構部１５は、略中央部を引戸Ｂの厚さ方向に延びる軸線Ｏ１周りに回動可能に錠ケース１２に支持されたリンクアーム２５と、トリガー機構部１４とトリガーリンク機構部１５を繋ぐための連絡部材２６とを備えている。
【００２８】
連絡部材２６は、トリガー補助部材２１に前後方向に摺動可能に係合するとともにトリガー補助部材２１に支持されたバネ２４に繋げて設けられている。また、連絡部材２６は、一体に設けられたピン２６ａを備え、このピン２６ａを錠ケース１２に形成されたピン孔１２ｂに係合させることによって、前後方向に進退自在に錠ケース１２に支持されている。
【００２９】
そして、軸線Ｏ１周りに回動可能に支持されたリンクアーム２５は、その一端をデッドボルト１８に、他端を連絡部材２６にそれぞれ回動自在に接続して設けられている。
【００３０】
ハンドルリンク機構部１６は、図４、図５、図７及び図８に示すように、軸線Ｏ２方向を引戸Ｂの厚さ方向に向け、トリガー補助部材２１よりも後方の所定位置で錠ケース１２に軸線Ｏ２周りに回動可能に支持された回動軸３０と、回動軸３０に一体に取り付けられ、回動軸３０が軸線Ｏ２周りの一方向に回転すると、これに従動し連絡部材２６の後端側に当接して連絡部材２６を前方に押圧し、回動軸３０が軸線Ｏ２周りの他方向に回転すると、これに従動し連絡部材２６の後端側から離間するように移動するレバーハブ（押圧部材）３１を備えている。
【００３１】
さらに、ハンドルリンク機構部１６は、錠ケース１２の側面から厚さ方向外側に突出するとともに支柱１０の側面から外側に延出した回動軸３０の端部側に回転盤（回転部材）３２を一体に取り付けて構成されている。また、各回転盤３２には、各レバーハンドル２（２ａ、２ｂ）に一体に取り付けて突設された連動ピン３３が挿通する連動ピン挿通孔３２ａが設けられている。
【００３２】
そして、本実施形態では、ハンドルリンク機構部１６が引戸Ｂの戸先７ａを形成する支柱１０の一側面側と他側面側にそれぞれ設けられ、これら一対のハンドルリンク機構部１６が、支柱１０の一側面側と他側面側に設けられる一対のレバーハンドル２（２ａ、２ｂ）のそれぞれに連結し、各ハンドルリンク機構部１６が各レバーハンドル２ａ、２ｂに連動するように構成されている。
【００３３】
ここで、本実施形態のレバーハンドル２（２ａ、２ｂ）は、支柱１０の一側面側と他側面側とにそれぞれ設けられている。また、本実施形態では、これら一対のレバーハンドル２（２ａ、２ｂ）がそれぞれ、上下方向に延びて引戸Ｂの操作者が把持する棒状のハンドル本体部３５と、ハンドル本体部３５の上端部及び下端部にそれぞれ繋がってハンドル本体部３５に略直交する方向に突出する一対の連結支持部３６とを備えて略コ字状に形成されている。
【００３４】
また、支柱１０の一側面側と他側面側とにそれぞれ設けられる一方のレバーハンドル２ａ（２ｂ）と他方のレバーハンドル２ｂ（２ａ）は、互いの上端部側の連結支持部３６同士、下端部側の連結支持部３６同士を、支柱１０を貫通して配設される連結棒３７によって一体に連結される。
【００３５】
さらに、一対のレバーハンドル２（２ａ、２ｂ）は、支柱１０の厚さ方向中央及び一対のハンドルリンク機構部１６の回動軸３０の軸線Ｏ２（軸線Ｏ２の延長線）上を通って上下方向に延びるハンドル回転中心軸Ｏ３周りに回動可能に設けられている（図８参照）。
【００３６】
これにより、引戸Ｂの厚さ方向に沿って連結支持部３６や連結棒３７が配されている初期姿勢の状態（引戸Ｂの開閉操作を行っていない状態）から、操作者が一対のレバーハンドル２の一方のレバーハンドル２ａ（２ｂ）のハンドル本体部３５を把持し引戸Ｂを閉じる方向に力を加えて押し込むと、この一方のレバーハンドル２ａ（２ｂ）が引戸Ｂの前方側に向けて（他方のレバーハンドル２ｂ（２ａ）が引戸Ｂの後方側に向けて）ハンドル回転中心軸Ｏ３周りの一方向に回動する。また、操作者が一対のレバーハンドル２の一方のレバーハンドル２ａ（２ｂ）のハンドル本体部３５を把持し引戸Ｂを開く方向に力を加えて引き込むと、この一方のレバーハンドル２ａ（２ｂ）が引戸Ｂの後方側に向けて（他方のレバーハンドル２ｂ（２ａ）が引戸Ｂの前方側に向けて）ハンドル回転中心軸Ｏ３周りの他方向に回動する。
【００３７】
すなわち、一対のレバーハンドル２が連結棒３７で連結されているため、一方のレバーハンドル２ａ（２ｂ）を前方に押し込めば、他方のレバーハンドル２ｂ（２ａ）が後方に引き込み、他方のレバーハンドル２ｂ（２ａ）を前方に押し込めば、一方のレバーハンドル２ａ（２ｂ）が後方に引き込むように、一対のレバーハンドル２が連動して回動する。
【００３８】
また、本実施形態の一対のレバーハンドル２（２ａ、２ｂ）にはそれぞれ、例えば上端部側の連結支持部３６に、連結棒３７と平行に突出する連動ピン３３が設けられている。そして、一対のレバーハンドル２（２ａ、２ｂ）を支柱１０の一側面側と他側面側の所定位置に設置した状態で、各レバーハンドル２ａ、２ｂの連動ピン３３は支柱１０の一側面側と他側面側にそれぞれ設置された各ハンドルリンク機構部１６の回転盤３２の連動ピン挿通孔３２ａに挿通される。
【００３９】
このように一方のレバーハンドル２ａ（２ｂ）の連動ピン３３が一方のハンドルリンク機構部１６の回転盤３２の連動ピン挿通孔３２ａに、他方のレバーハンドル２ｂ（２ａ）の連動ピン３３が他方のハンドルリンク機構部１６の回転盤３２の連動ピン挿通孔３２ａにそれぞれ挿通されていることにより、レバーハンドル２と各ハンドルリンク機構部１６とが連動するように構成されている。
【００４０】
施錠固定部１７は、鎌用開口１１ａから鎌部１９が外側に突出して戸当たり４のストライク（掛止部材）に係止された施錠状態を保持するためのものである。この施錠固定部１７は、例えばシリンダー錠などであり、図４及び図５に示すように、ロックカム４０、ロック用連動部材４１、ロック用係止部材４２とを備えて構成されている。
【００４１】
この施錠固定部１７においては、戸先板１１から前方に突出して鎌部１９が戸当たりのストライクに係止された施錠状態で、キー操作してロックカム４０を一方向に回動させると、ロックカム４０に繋がるロック用連動部材４１が戸先７ａ側に移動する。そして、ロック用連動部材４１に繋がるロック用係止部材４２がロック用連動部材４１と同じ方向に移動し、このロック用係止部材４２がデッドボルト１８の回動軌道上で止まる。これにより、施錠固定部１７によって施錠状態を保持することができる。また、キー操作してロックカム４０を他方向に回動させれば、ロック用連動部材４１、ロック用係止部材４２が逆方向に移動し、施錠の保持状態を解除することができる。
【００４２】
次に、本実施形態の制動装置９は、例えば戸先７ａ側に位置する引戸走行用ローラー６に設置したドラムブレーキであり、図３、図９、図１０に示すように、引戸走行用ローラー６のブレーキドラム４３と、ブレーキ基板４４にそれぞれ一端を軸支して配置した一対のブレーキシュー４５と、一対のブレーキシュー４５の間に配置して一対のブレーキシュー４５をブレーキドラム４３から離す方向に付勢する離間用バネ部材（不図示）と、ブレーキ基板４４に軸支されて回動自在に配設されたクランクレバー４６と、クランクレバー４６に一体に設置されるとともに一対のブレーキシュー４５の間に配設されたブレーキカム４７と、ブレーキ基板４４とクランクレバー４６の間に配設され、離隔用バネ部材の付勢力に抗して一対のブレーキシュー４５をブレーキドラム圧接方向に付勢するブレーキシュー圧接用バネ部材４８とを備えている。
【００４３】
また、この制動装置９では、ブレーキ基板４４及びクランクレバー４６とレバーハンドル２とがワイヤーケーブル（引寄せ部材）４９で接続されている。
【００４４】
上記のように構成した本実施形態の引戸用開閉装置Ｃにおいては、まず、レバーハンドル２が初期姿勢の状態（引戸Ｂの開閉操作を行っていない状態）で、制動装置９のブレーキドラム４３に一対のブレーキシュー４５が圧接し、引戸走行用ローラー６にブレーキをかけた状態となる。
【００４５】
そして、操作者がレバーハンドル２を前方や後方に押し引き操作すると、ワイヤーケーブル４９が引っ張られ、このワイヤーケーブル４９によってブレーキカム４７が回動してブレーキドラム４３から離れる。これにより、引戸Ｂを開閉するために操作者がレバーハンドル２を押し引き操作すると、これに連動して制動装置９による制動状態（ブレーキをかけた状態）が自動的に解除されて引戸Ｂが走行移動可能／開閉動可能な状態になる。
【００４６】
また、レバーハンドル２を押し引きして引戸Ｂを開閉動させている途中でレバーハンドル２の押し引きをやめると、レバーハンドル２が初期姿勢の状態に戻り、制動装置９が自動的に働いてブレーキがかかって引戸Ｂが停止する。
【００４７】
一方、本実施形態の引戸用開閉装置Ｃにおいては、図１、図４、図５、図１１及び図１２に示すように、レバーハンドル２が初期姿勢の状態、且つ、トリガー軸２０のローラー２３が戸先板１１から外側に進出した状態で、トリガー補助部材２１とともに連絡部材２６が前方に配され、鎌部１９が錠ケース１２内に収容されている。
【００４８】
そして、操作者が、引戸Ｂを閉じることで区画される内側領域Ｒ１のレバーハンドル２（２ａ）、あるいは外側領域Ｒ２のレバーハンドル２（２ｂ）を前方に押し込んで引戸Ｂを閉じるように移動させると、ローラー２３が戸当たり４に当たり、且つ操作者がレバーハンドル２の押し込み操作をやめてレバーハンドル２が初期姿勢の状態に戻るとともに、トリガー軸２０及びトリガー補助部材２１が後方に退避し、バネ２４に付勢されて連絡部材２６が後方にスライド移動する。
【００４９】
また、これに伴い、リンクアーム２５、さらにデッドボルト１８が一方向に回動し、鎌用開口１１ａから鎌部１９が戸先７ａの外側に突出する。これにより、鎌部１９が戸当たり４のストライクに入り込んで係合し、引戸Ｂが戸当たり４に当たって閉じるとともに自動的に引戸錠８によって施錠される。また、自動的に制動装置９によってブレーキがかかる。
【００５０】
ここで、本実施形態の引戸用開閉装置Ｃにおいては、内側領域Ｒ１あるいは外側領域Ｒ２の一方のレバーハンドル２（２ａ（２ｂ））を前方に押し込むと、外側領域Ｒ２あるいは内側領域Ｒ１の他方のレバーハンドル２（２ｂ（２ａ））が連動して後方に移動する。
【００５１】
そして、前方に押し込んだ一方のレバーハンドル２ａ（２ｂ）の連動ピン３３がこれに対応する一方のハンドルリンク機構部１６の回転盤３２を前方に押圧し、回動軸３０が回転してレバーハブ３１が連絡部材２６を前方に押圧する。また、後方に移動した他方のレバーハンドル２ｂ（２ａ）の連動ピン３３がこれに対応する他方のハンドルリンク機構部１６の回転盤３２を後方に押圧し、回動軸３０が回転してレバーハブ３１が連絡部材２６から離間する方向に回動する。
【００５２】
これにより、鎌部１９が戸先７ａから外側に突出した状態で内側領域Ｒ１あるいは外側領域Ｒ２の一方のレバーハンドル２ａ（２ｂ）を前方に押し込むと、一方のハンドルリンク機構部１６のレバーハブ３１に連絡部材２６が押圧されて前方に移動し、リンクアーム２５、デッドボルト１８が回動して、自動的に鎌用開口１１ａから鎌部１９が戸先７ａの内側に退避する。
【００５３】
また、内側領域Ｒ１あるいは外側領域Ｒ２の一方のレバーハンドル２ａ（２ｂ）を後方に引き込むと、外側領域Ｒ２あるいは内側領域Ｒ１の他方のレバーハンドル２ｂ（２ａ）が連動して前方に移動する。
【００５４】
そして、後方に引き込んだ一方のレバーハンドル２ａ（２ｂ）の連動ピン３３がこれに対応する一方のハンドルリンク機構部１６の回転盤３２を後方に押圧し、回動軸３０が回転してレバーハブ３１が連絡部材２６から離間する方向に回動する。また、前方に移動した他方のレバーハンドル２ｂ（２ａ）の連動ピン３３がこれに対応する他方のハンドルリンク機構部１６の回転盤３２を前方に押圧し、回動軸３０が回転してレバーハブ３１が連絡部材２６を前方に押圧する。
【００５５】
これにより、鎌部１９が戸先７ａから外側に突出した状態で内側領域Ｒ１あるいは外側領域Ｒ２の一方のレバーハンドル２ａ（２ｂ）を後方に引き込むと、他方のハンドルリンク機構部１６のレバーハブ３１に連絡部材２６が押圧されて前方に移動し、リンクアーム２５、デッドボルト１８が回動して、自動的に鎌用開口１１ａから鎌部１９が戸先７ａの内側に退避する。
【００５６】
よって、本実施形態の引戸用開閉装置Ｃにおいては、引戸Ｂを閉じ、引戸錠８によって施錠された状態から引戸Ｂを開く際に、内側領域Ｒ１あるいは外側領域Ｒ２からレバーハンドル２ａ（２ｂ）を後方に引き込むと、自動的に鎌部１９がストライクから外れて開錠され、且つ鎌部１９が戸先７ａから錠ケース１２の内側に退避することになる。また、このとき、トリガー軸２０がバネ２４の付勢力で自動的に戸先７ａから突出し、さらに自動的に制動装置９による制動状態が解除される。
【００５７】
すなわち、レバーハンドル２を操作するワンアクション（１段階操作）で開錠され、引戸Ｂの開動が行えることになる。
なお、施錠固定部１７でデッドボルト１８が固定状態にある場合には、この施錠固定部１７を開操作してデッドボルト１８の固定状態を解除し、レバーハンドル２を操作するツーアクション（２段階操作）で引戸Ｂの開動が行えることになる。
【００５８】
一方、引戸Ｂを開いた状態でローラー２３（トリガー軸２０）を手などで押し込んでしまうと、これに連動して鎌部１９が戸先７ａから突出する。そして、このように鎌部１９が突出していると、引戸Ｂを閉じる際に鎌部１９が戸当たり７に当たってしまい、鎌部１９や戸当たり７が損傷するおそれがある。
【００５９】
これに対し、本実施形態の引戸用開閉装置Ｃにおいては、各レバーハンドル２（２ａ、２ｂ）を押し引き操作すれば、自動的に鎌部１９が戸先７ａから錠ケース１２の内側に退避する。このため、引戸Ｂを開いた状態でローラー２３を手などで押し込み、鎌部１９が戸先７ａから突出していても、この状態で引戸Ｂを閉じるように、また、さらに開くようにレバーハンドル２を押し引き操作するとともに自動的に鎌部１９が錠ケース１２内に収容される。これにより、鎌部１９が突出したままになって戸当たり４に当たってしまうことが確実に回避される。
【００６０】
したがって、本実施形態の引戸用開閉装置Ｃにおいては、引戸Ｂを開く際に、従来のように施錠用レバー１を開操作しながらレバーハンドル２を押し引きする必要がなく、レバーハンドル２を押し引きするだけで自動的に鎌部１９を収容して開閉動することができる。
【００６１】
また、引戸Ｂを閉じることにより区画される内側領域Ｒ１と外側領域Ｒ２の両側に互いに連結して連動するレバーハンドル２（２ａ、２ｂ）が設けられ、これら一対のレバーハンドル２（２ａ、２ｂ）の一方を押し引き操作することによって、自動的に鎌部１９を戸先７ａから退避させて錠ケース１２内に収容するように連動させることができる。
【００６２】
さらに、レバーハンドル２を押し引き操作するとともに、引戸Ｂの引戸走行用ローラー６の制動状態を自動的に解除でき、且つ、レバーハンドル２の操作をやめるとともに自動的に引戸走行用ローラー６を制動状態にすることができる。
【００６３】
よって、本実施形態の引戸用開閉装置Ｃによれば、従来と比較し、操作性を大幅に向上させることができる。
【００６４】
また、レバーハンドル２の押し引き操作を行うとともに自動的に鎌部１９が錠ケース１２内に収容されるため、従来のように鎌部１９が突出したままになることがない。これにより、引戸Ｂを閉める際に戸当たり４に鎌部１９が衝突して錠や戸当たりに破損が生じることを確実に解消することが可能になる。
【００６５】
以上、本発明に係る引戸用開閉装置の一実施形態について説明したが、本発明は上記の一実施形態に限定されるものではなく、その趣旨を逸脱しない範囲で適宜変更可能である。
【００６６】
例えば、本実施形態では、本発明に係るハンドルがコ字状のレバーハンドル２であるものとして説明を行ったが、本発明に係るハンドルを本実施形態のように限定する必要はない。
【符号の説明】
【００６７】
１      施錠用レバー
２      レバーハンドル（ハンドル）
２ａ    一方のレバーハンドル
２ｂ    他方のレバーハンドル
３      施錠固定部
４      戸当たり
６      引戸走行用ローラー
７      引戸本体
７ａ    戸先
８      引戸錠
９      制動装置
１０    支柱
１１    戸先板
１１ａ  鎌用開口
１１ｂ  トリガー用開口
１２    錠ケース
１３    施錠機構部
１４    トリガー機構部
１５    トリガーリンク機構部
１６    ハンドルリンク機構部
１７    施錠固定部
１８    デッドボルト
１９    鎌部
２０    トリガー軸
２１    トリガー補助部材
２２    ローラー受け
２３    ローラー
２４    バネ（弾性部材）
２５    リンクアーム
２６    連絡部材
３０    回動軸
３１    レバーハブ（押圧部材）
３２    回転盤（回転部材）
３２ａ  連動ピン挿通孔
３３    連動ピン
３５    ハンドル本体部
３６    連結支持部
３７    連結棒
４０    ロックカム
４１    ロック用連動部材
４２    ロック用係止部材
４３    ブレーキドラム
４４    ブレーキ基板
４５    ブレーキシュー
４６    クランクレバー
４７    ブレーキカム
４８    ブレーキシュー圧接用バネ部材
４９    ワイヤーケーブル（引寄せ部材）
Ａ      従来の引戸
Ｂ      引戸
Ｃ      引戸用開閉装置
Ｏ１    軸線
Ｏ２    軸線
Ｏ３    ハンドル回転中心軸
【図１】
0006509565.tif 000002
【図２】
0006509565.tif 000003
【図３】
0006509565.tif 000004
【図４】
0006509565.tif 000005
【図５】
0006509565.tif 000006
【図６】
0006509565.tif 000007
【図７】
0006509565.tif 000008
【図８】
0006509565.tif 000009
【図９】
0006509565.tif 000010
【図１０】
0006509565.tif 000011
【図１１】
0006509565.tif 000012
【図１２】
0006509565.tif 000013
【図１３】
0006509565.tif 000014